(57)【特許請求の範囲】
【請求項１】
電動モータを駆動源として内装し、電源としてスライド取り付け形式のバッテリパックを取り付けるためのバッテリ取り付け部を有する電動工具であって、
前記バッテリ取り付け部に、前記バッテリパックが備える断面コ字形のレール受け部に対してスライド方向に直交する係合方向に係合されるスライドレール部を備え、該スライドレール部の、前記係合方向の両面に、前記バッテリパックのレール受け部に対して弾性的に押圧させる押圧部を設け、
該押圧部は、前記バッテリ取り付け部に対する前記バッテリパックのスライド方向について複数個所に配置され、かつ相互に結合されて一体部品とされた電動工具。
【請求項２】
請求項１に記載した電動工具であって、
前記係合方向の両面の押圧部が相互に結合されて一体部品とされた電動工具。
【請求項３】
請求項１又は２に記載した電動工具であって、
前記押圧部は、前記スライドレール部に設けた取り付け凹部内に自身の弾性力を利用して嵌め込み保持されて取り付けられた電動工具。
【請求項４】
請求項１〜３の何れか１項に記載した電動工具であって、
前記押圧部の押圧面を円弧形状とした電動工具。
【請求項５】
請求項１〜４の何れか１項に記載した電動工具であって、
前記一体部品として、前記バッテリ取り付け部に対する前記バッテリパックのスライド方向に延びる振動吸収部材を備えており、
前記振動吸収部材は、前記スライド方向に延びる連結部の両端に吸収部を備え、該両吸収部に、前記スライド方向に直交する係合方向の両側に突き出す前記押圧部を備えた電動工具。
【請求項６】
請求項５記載の電動工具であって、
前記吸収部は、前記押圧部に加えて、前記スライド方向に突き出す部位を有する電動工具。
【請求項７】
請求項５又は６に記載した電動工具であって、
前記連結部は、前記スライド方向に延びる電動工具。
【請求項８】
請求項５〜７の何れか１項に記載した電動工具であって、
前記スライドレール部が、前記バッテリ取り付け部に対する前記バッテリパックのスライド方向の左右両側に対称に配置されており、該左右対称に配置された前記スライドレール部に、前記振動吸収部材が左右対称に配置された電動工具。
【請求項９】
請求項５〜８の何れか１項に記載した電動工具であって、
前記振動吸収部材の全体がゴム製の弾性体で、前記スライドレール部に設けた取り付け凹部内に自身の弾性力を利用して嵌め込み保持されて取り付けられた電動工具。
【請求項１０】
電動モータを駆動源として内装し、電源としてスライド取り付け形式のバッテリパックを取り付けるためのバッテリ取り付け部を有する電動工具であって、
前記バッテリ取り付け部に、前記バッテリパックが備えるスライドレール部をスライド方向に直交する係合方向に係合する断面コ字形のレール受け部を備え、該レール受け部に、前記バッテリパックのスライドレール部の前記係合方向の両面に弾性的に押圧させる押圧部を設け、
該押圧部は、前記バッテリ取り付け部に対する前記バッテリパックのスライド方向について複数個所に配置され、かつ相互に結合されて一体部品とされた電動工具。
【請求項１１】
電動モータを駆動源として内装する本機に、電源としてバッテリパックを取り付けるためのバッテリ取り付け部を有する電動工具であって、
前記バッテリ取り付け部若しくは前記バッテリパックの一方に係合部としてのスライドレール部を設け、他方に該係合部を係合させる係合受け部として、前記スライドレール部をスライド方向に直交する係合方向に係合する断面コ字形のレール受け部を設け、前記係合部と前記係合受け部との間に弾性的に挟み込まれて押圧される押圧部を前記係合方向の両面に介在させ、
該押圧部は、前記バッテリ取り付け部に対する前記バッテリパックのスライド方向について複数個所に配置され、かつ相互に結合されて一体部品とされた電動工具。
【請求項１２】
請求項１又は１０又は１１の何れか１項に記載した電動工具であって、
先端刃具を取り付けたスピンドルが、前記電動モータの出力軸に対して直交する軸線回りに回転支持された電動工具。
【請求項１３】
請求項１２に記載した電動工具であって、
前記スピンドルと前記出力軸との間に、前記スピンドルを軸線回りに一定の角度で揺動させる往復揺動機構が介在された電動工具。
【請求項１４】
請求項１２又は１３に記載した電動工具であって、
使用者が把持するグリップとして機能する筒形の本体ハウジングに前記電動モータを内装し、前記本体ハウジングの前部に前記スピンドルを備え、前記本体ハウジングの後部に前記バッテリ取り付け部を備えた電動工具。
【請求項１５】
請求項１２〜１４の何れか１項に記載した電動工具であって、
前記バッテリパックのスライド方向が前記スピンドルの軸線方向に一致した電動工具。
【請求項１６】
電動工具のバッテリ取り付け部に取り付けられるスライド取り付け形式のバッテリパックであって、
前記バッテリ取り付け部に対して、スライド方向に直交する係合方向に係合されるスライド案内部を有し、該スライド案内部の前記係合方向の両面に、前記バッテリ取り付け部に対して弾性的に押圧させる押圧部を設け、
該押圧部は、前記バッテリ取り付け部に対する前記バッテリパックのスライド方向について複数個所に配置され、かつ相互に結合されて一体部品とされたバッテリパック。
【発明の詳細な説明】
【技術分野】
【０００１】
本発明は、電動工具に関する。例えば先端刃具を交換することにより切断、剥離、研削等の各種作業を行うことができる多機能な電動工具に関する。
【背景技術】
【０００２】
いわゆるマルチツールと称されるこの多機能電動工具は、駆動源としての電動モータの回転出力を出力軸の往復揺動運動に変換して出力するもので、出力軸の先端に作業内容に合わせて各種の先端刃具が取り付けられる。先端刃具には、出力軸回りに微小な角度で高速揺動運動が与えられて、石工ボードの切断、Ｐタイルの剥離、木材の研削等の各種の作業がなされる。このように出力軸に微小な高速揺動運動を与える結果、当該電動工具についてはその各部に適切な振動対策を施す必要がある。例えば、下記の特許文献１には、振動への対策に関する技術が記載されている。
【先行技術文献】
【特許文献】
【０００３】
【特許文献１】特許第４７３９９１０号公報
【発明の概要】
【発明が解決しようとする課題】
【０００４】
上記従来の振動への対策については、より発展させることが必要である。本発明は、係る従来の問題に鑑みてなされたもので、取り付けたバッテリパックの振動をより確実に防止できるようにすることを目的とする。
【課題を解決するための手段】
【０００５】
上記した課題は、以下の各発明によって解決される。第１の発明は、電動モータを駆動源として内装し、電源としてスライド取り付け形式のバッテリパックを取り付けるためのバッテリ取り付け部を有する電動工具である。第１の発明は、バッテリ取り付け部に、バッテリパックが備える断面コ字形のレール受け部に対してスライド方向に直交する係合方向に係合されるスライドレール部を備えており、このスライドレール部の、係合方向の両面に、バッテリパックのレール受け部に対して弾性的に押圧させる押圧部を設けた構成を備えている。
【０００６】
第１の発明によれば、バッテリ取り付け部にバッテリパックを取り付けた状態では、バッテリ取り付け部側のスライドレール部の係合方向の両面に設けた押圧部が、バッテリパック側のレール受け部にそれぞれ弾性的に押圧される。スライドレール部の係合方向の両面とレール受け部との間に押圧部が弾性的に挟み込まれて押圧されることにより、バッテリパックのバッテリ取り付け部に対する主として係合方向の振動が吸収される。第１の発明は、電動工具のバッテリ取り付け部側にスライドレール部が設けられ、バッテリパック側に断面コ字形のレール受け部が設けられている場合を対象としている。
【０００７】
第１の発明では、スライドレール部の係合方向の両面に押圧部が押圧される。スライドレール部の係合方向の両面は、バッテリパックのスライド面（取り付け、取り外し方向）を水平方向とする場合には上面及び下面となり、従って重力方向及び反重力方向となる。スライドレール部の係合方向の両面に押圧部が押圧されることにより、バッテリパックは、バッテリ取り付け部に対して弾性支持（フローティング支持）された状態となり、これにより主として係合方向（上下方向）の振動が吸収される。さらには、係合方向（前後方向）のみならず、左右、上下方向の振動も吸収することができる。
【０００８】
第２の発明は、第１の発明において、係合方向の両面の押圧部が相互に結合されて一体部品とされた電動工具である。
【０００９】
第２の発明によれば、係合方向両面の押圧部がスライドレール部から外れにくくすることができ、また係合方向両面の押圧部を１つの部品として取り扱うことができるのでその取り扱い性及び組み付け性を高めることができる。
【００１０】
第３の発明は、電動モータを駆動源として内装し、電源としてスライド取り付け形式のバッテリパックを取り付けるためのバッテリ取り付け部を有する電動工具である。第２の発明は、バッテリ取り付け部に、バッテリパックが備えるスライドレール部をスライド方向に直交する係合方向に係合する断面コ字形のレール受け部を備えており、このレール受け部に、バッテリパックのスライドレール部の係合方向の両面に弾性的に押圧させる押圧部を設けた構成を備えている。
【００１１】
第３の発明によれば、バッテリ取り付け部にバッテリパックを取り付けた状態では、バッテリ取り付け部側のレール受け部に設けた押圧部が、バッテリパック側のスライドレールの係合方向の両面にそれぞれ弾性的に押圧される。バッテリパックのスライドレール部の係合方向の両面とレール受け部との間にそれぞれ押圧部が弾性的に挟み込まれて押圧されることにより、バッテリパックのバッテリ取り付け部に対する主として係合方向の振動が吸収される。さらには、係合方向（前後方向）のみならず、左右、上下方向の振動も吸収することができる。第３の発明は、電動工具のバッテリ取り付け部側に断面コ字形のレール受け部が設けられ、バッテリパック側にスライドレール部が設けられている場合であって、第１の発明とは逆の場合を対象としている。
【００１２】
第４の発明は、第１〜第３の何れか１つの発明において、バッテリ取り付け部に対するバッテリパックのスライド方向（取り付け、取り外し方向）について、押圧部を複数個所に配置した電動工具である。
【００１３】
第４の発明によれば、バッテリパックのバッテリ取り付け部に対する係合方向（スライド方向に直交する方向）の振動がより確実に吸収される。さらには、係合方向（前後方向）のみならず、左右、上下方向の振動も吸収することができる。
【００１４】
第５の発明は、第４の発明において、スライド方向複数個所の押圧部が相互に結合されて一体部品とされた電動工具である。
【００１５】
第５の発明によれば、スライド方向複数個所の押圧部を外れにくくすることができ、またスライド方向複数個所の押圧部を１つの部品として取り扱うことができのでその取り扱い性及び組み付け性を高めることができる。
【００１６】
第６の発明は、電動モータを駆動源として内装する本機に、電源としてバッテリパックを取り付けた電動工具である。第６の発明では、バッテリ取り付け部若しくはバッテリパックの一方に係合部を設け、他方にこの係合部を係合させる係合受け部を設けた構成を備えている。第６の発明では、係合部と係合受け部との間に弾性的に挟み込まれて押圧される押圧部を介在させた構成となっている。
【００１７】
第６の発明によれば、バッテリパックが本機側のバッテリ取り付け部に対して押圧部を介して弾性的に支持（フローティング支持）されることにより、当該バッテリパックの前後、左右、上下のあらゆる方向について振動が吸収される。第６の発明は、スライド取り付け形式の箱体形のバッテリパック、差込み取り付け形式のクラスタ形のバッテリパック等種々取り付け形式のバッテリパックについて適用される。また、押圧部はバッテリ取り付け部側若しくはバッテリパック側の何れか一方又は双方であって、係合部若しくは係合受け部の何れか一方又は双方に設けることができる。
【００１８】
第７の発明は、第６の発明において、本機のバッテリ取り付け部若しくはバッテリパックの一方に係合部としてのスライドレール部を備え、他方に係合受け部として、スライドレール部をスライド方向に直交する係合方向に係合する断面コ字形のレール受け部を備えており、押圧部をスライドレール部の係合方向の両面とレール受け部との間に介在させた電動工具である。
【００１９】
第７の発明によれば、電動モータを駆動源として内装する本機と、本機のバッテリ取り付け部に取り付けたバッテリパックを含めて電動工具と把握する場合に、バッテリ取り付け部若しくはバッテリパックの一方にスライドレール部が設けられ、他方にレール受け部が設けられており、レール受け部にスライドレール部を挿入（スライド）させてバッテリパックがバッテリ取り付け部に取り付けられる。第７の発明によれば、スライドレール部若しくはレール受け部の一方又は双方の係合方向の両面に押圧部が設けられている。このため、バッテリパックの取り付け状態において、スライドレール部の係合方向の両面とレール受け部との間に押圧部が弾性的に挟み込まれて押圧されることにより当該バッテリパックのバッテリ取り付け部に対する主として係合方向（スライド方向に直交する方向）の振動が吸収される。
【００２０】
第７の発明によれば、本機のバッテリ取り付け部側にスライドレール部が設けられた構成の場合、若しくはバッテリパック側にスライドレール部が設けられた構成の２形態のそれぞれについて、スライドレール部側に押圧部を設けた構成とレール受け部側に押圧部を設けた構成の双方が含まれる。
【００２１】
第８の発明は、第１〜第７の何れか１つの発明において、押圧部は係合部としてのスライドレール部若しくは係合受け部としてのレール受け部に設けた取り付け凹部内に自身の弾性力を利用して嵌め込み保持されて取り付けられた電動工具である。
【００２２】
第８の発明によれば、押圧部を取り付け凹部内に簡単に取り付けることができる一方、振動等により容易に外れないように取り付けることができる。
【００２３】
第９の発明は、第１〜第８の何れか１つの発明において、押圧部の押圧面を円弧形状とした電動工具である。
【００２４】
第９の発明によれば、バッテリパックの取り付け、取り外し時における移動抵抗を小さくすることができ、これによりバッテリパックの取り付け、取り外しの操作性を高めることができる。
【００２５】
第１０の発明は、電動工具のバッテリ取り付け部に取り付けられるスライド取り付け形式のバッテリパックである。第１０の発明に係るバッテリパックは、バッテリ取り付け部に対して、スライド方向に直交する係合方向に係合されるスライド案内部を有している。第１０の発明では、スライド案内部の係合方向の両面に、バッテリ取り付け部に対して弾性的に押圧させる押圧部を設けた構成となっている。
【００２６】
第１０の発明によれば、バッテリパックについて、電動工具側への取り付け時における係合方向の振動が吸収される。スライド案内部としては、スライドレール部若しくはこのスライドレール部を受けるレール受け部とすることができる。
【００２７】
第１１の発明は、電動モータを駆動源として内装する本機に、電源としてバッテリパックを取り付けた電動工具である。第１１の発明では、バッテリパックを取り付けるためのバッテリ取り付け部若しくはバッテリパックの一方に、凸部を設け、バッテリ取り付け部若しくはバッテリパックの他方が、凸部を一方側及び他方側から弾性保持可能に構成されている。
【００２８】
第１１の発明によれば、本機側のバッテリ取り付け部とバッテリパックの一方に設けた凸部が、他方によって弾性保持されることにより当該バッテリパックの振動が抑制される。
【図面の簡単な説明】
【００２９】
【図１】本発明の実施形態に係る電動工具の全体斜視図である。本図は、斜め後方から見た状態を示している。本図は、バッテリパックを取り付けた状態で示されている。
【図２】本実施形態に係る電動工具の全体斜視図である。本図は、斜め後方から見た状態を示している。本図は、バッテリパックを取り外した状態で示されている。
【図３】本実施形態に係る電動工具の内部構造を示す図である。本図は、左側方から見た状態を示している。本図では、バッテリパックを取り外した状態で示されている。
【図４】バッテリパックを取り付けたバッテリ取り付け部の縦断面図である。
【図５】振動吸収部の斜視図である。
【図６】別態様の実施形態に係るバッテリパック単体の斜視図である。
【図７】振動吸収部をバッテリ取り付け部のスライドレールに設けた形態を示す概略図である。
【図８】振動吸収部をバッテリパックのレール受け部に設けた形態を示す概略図である。
【図９】振動吸収部をバッテリパックのスライドレール部に設けた形態を示す概略図である。
【図１０】振動吸収部をバッテリ取り付け部のレール受け部に設けた形態を示す概略図である。
【図１１】差し込み取り付け形式のクラスタ形のバッテリパックについて振動吸収部を設けた実施形態を示す概略縦断面図である。
【図１２】差し込み取り付け形式のクラスタ形のバッテリパックについて振動吸収部を設けた実施形態を示す概略横断面図である。
【図１３】差し込み取り付け形式のクラスタ形のバッテリパックについて振動吸収部を設けた別の実施形態を示す概略縦断面図である。
【発明を実施するための形態】
【００３０】
次に、本発明の実施形態を図１〜図１３に基づいて説明する。図１〜図３に示すように本実施形態の電動工具１は、いわゆるマルチツールと称される手持ち式の電動工具であって、先端刃具を交換することにより石工ボードの切断、Ｐタイルの剥離、木材の研削等の各種の作業を行うことができる多機能な電動工具である。
【００３１】
この電動工具１は、円筒形の本体ハウジング２の長手方向中程に駆動源としての電動モータ３を内装した工具本体（本機）１０を備えている。電動モータ３の回転出力は、スピンドル４に対してその軸周りの往復揺動運動に変換されて出力される。電動モータ３の出力軸３ａには駆動軸５が連結されている。駆動軸５は軸受６，７を介して出力軸３ａと同軸に回転自在に支持されている。駆動軸５の前部には、その回転軸線に対して僅かに偏心した偏心軸部５ａが設けられている。偏心軸部５ａには偏心ローラ１４が取り付けられている。
【００３２】
本体ハウジング２の前部に、スピンドル４が軸受８，９を介して回転自在に支持されている。スピンドル４は、電動モータ３のモータ軸線（出力軸３ａの軸線）に対して直交する軸線回りに回転自在に支持されている。スピンドル４の下部側は、本体ハウジング２の前部下面から下方へ突き出されている。この突き出し部分に先端刃具Ｔが取り付けられている。先端刃具Ｔは、インナフランジ１１とアウタフランジ１２に挟み込まれた状態でスピンドル４の下部に取り付けられている。アウタフランジ１２を外せば、先端刃具Ｔを別のものに交換することができる。
【００３３】
スピンドル４の上部には、二股形状の作動アーム１３が取り付けられている。作動アーム１３は、スピンドル４に対して軸回りに相対回転不能かつ軸方向に変位不能に固定されている。作動アーム１３は、相互に一定の間隔をおいて平行に後方へ延びる２つのアーム部１３ａを備えている。両アーム部１３ａ間に上記偏心軸部５ａの偏心ローラ１４が介在されている。両アーム部１３ａは、偏心ローラ１４の回転及び変位を許容する状態でその左右両側に接触している。
【００３４】
本体ハウジング２の上面には、スライド操作式の起動スイッチ１６が設けられている。本体ハウジング２の後部はメインスイッチ１５が配置されている。起動スイッチ１６には本体ハウジング２内において後方へ長く延びるアーム部１６ａが設けられている。アーム部１６ａの後部がメインスイッチ１５に連携されている。起動スイッチ１６を前側へスライド操作すると、メインスイッチ１５がオンして電動モータ３が起動する。電動モータ３が起動して駆動軸５が回転すると、偏心ローラ１４が当該駆動軸５の回転軸線周りに公転する。偏心ローラ１４の公転動作のうち左右方向の動作がアーム部１３ａに伝達されて、作動アーム１３がスピンドル４の軸線周りに揺動する。作動アーム１３が揺動することによりスピンドル４がその軸線回りに一定の角度で揺動して、先端刃具Ｔに高速揺動運動が与えられる。起動スイッチ１６を後ろ側へスライド操作すると、メインスイッチ１５がオフして電動モータ３が停止する。
【００３５】
本体ハウジング２の後部側は、使用者が把持しやすい太さに形成されて、使用者が把持するグリップ部２ａとされている。グリップ部２ａの後ろ側上面には、変速ダイヤル１７が設けられている。変速ダイヤル１７を回転操作することにより、電動モータ３の出力回転数を調整することができる。電動モータ３の出力回転数を調整することにより、先端刃具Ｔの揺動速度を作業内容に合わせて適切に調整することができる。
【００３６】
グリップ部２ａの後ろ側にバッテリ取り付け部２０が一体に設けられている。バッテリ取り付け部２０は、グリップ部２ａの後部から主として下方へ張り出す状態に設けられている。このバッテリ取り付け部２０にバッテリパック３０が取り付けられる。
【００３７】
バッテリ取り付け部２０の後面には、左右一対のスライドレール部２１が設けられている。左右のスライドレール部２１は相互に接近する方向に張り出す状態に設けられている。左右のスライドレール部２１間には、正負の接続端子２２が設けられている。正負の接続端子２２がバッテリパック３０の端子受け部に接続されて当該バッテリパック３０が工具本体１０に対して電気的に接続される。
【００３８】
このバッテリ取り付け部２０に取り付けられるバッテリパック３０は、出力電圧が１０．８Ｖのリチウムイオンバッテリで、ケース内に複数本のバッテリセルを内装した構成を備えている。このバッテリパック３０は、別途用意した充電器で充電することにより繰り返し使用できる二次電池で、ねじ締め機や切断工具等その他の電動工具の電源としても利用できる汎用性の高いものが用いられている。
【００３９】
このバッテリパック３０は、左右一対のレール受け部３１を備えている。レール受け部３１は、工具本体１０側のスライドレール部２１を挿入可能な断面コ字形を有している。バッテリパック３０をバッテリ取り付け部２０に対してバッテリ取り付け方向にスライドさせて、左右のレール受け部３１にスライドレール部２１を相対的に進入させることにより、当該バッテリパック３０が取り付けられる。図４に示すように取り付けられた状態では、スライドレール部２１がレール受け部３１の前側係合部３１ａと後ろ側係合部３１ｂとの間に沿って挿入された状態となる。これにより、バッテリパック３０がその取り付け方向に対してほぼ直交する方向（係合方向、図４では前後方向）に変位不能に係合された状態となる。
【００４０】
なお、図では見えていないが（例えば図６参照）、バッテリパック３０には凸部によって形成されるロック爪部３２ｂが設けられており、このロック爪部３２ｂがバッテリ取り付け部２０側に設けられた凹部によって形成されるロック爪受け部２６に係合することにより当該バッテリパック３０が取り外し方向へ変位不能にロックされる。アンロックボタン３２ｃを操作することによりロック爪による取り付けロック状態を解除することができ、このアンロック状態でバッテリパック３０を取り外し方向（図４において上方）にスライドさせて取り外すことができる。図２に示すようにロック爪受け部２６の左右両側には、円筒形状の嵌め込み凹部２５が設けられている。図２では省略されているが、この嵌め込み凹部２５内に円柱体形の弾性ゴムを嵌め付けておき、この弾性ゴムを取り付けたバッテリパック３０に押圧させることにより、当該バッテリパック３０の振動若しくはがたつきを防止することができる。
【００４１】
左右のスライドレール部２１には、取り付けたバッテリパック３０の振動を吸収するための振動吸収部２３が設けられている。左右の振動吸収部２３は相互に左右対称に設けられている。本実施形態では、左右のスライドレール部２１に振動吸収部材２４を埋め込んで振動吸収部２３とされている。振動吸収部２３の詳細が図４に示され、振動吸収部材２４の詳細が図５に示されている。振動吸収部材２４は、ゴム製の弾性体で、バッテリパック３０のスライド方向前側（図４では下側）の吸収部２４ａとスライド方向後ろ側（図４では上側）の吸収部２４ｂと両吸収部２４ａ，２４ｂを連結する連結部２４ｅを備えている。スライド方向前側の吸収部２４ａとスライド方向後ろ側の吸収部２４ｂは、それぞれ十字形を有しており、バッテリパック３０のスライド方向（取り付け、取り外し方向）に対して直交する方向（図４では前後方向）に延びる押圧部２４ｃ，２４ｄを有している。押圧部２４ｃ，２４ｄの先端面は、バッテリパック３０のスライド方向について円弧形状に形成されている。
【００４２】
左右の振動吸収部材２４は、それぞれスライドレール部２１の対向面に設けた取り付け凹部２１ａに弾性的に嵌め込まれて保持されている。図２及び図３に示すように取り付け凹部２１ａには２つの円形の押し込み凹部２１ｂが設けられている。この２つの押し込み凹部２１ｂを利用して主として連結部２４ｅを取り付け凹部２１ａ内に楽に嵌め込むことができ、これにより当該振動吸収部材２４を迅速かつ確実に取り付け凹部２１ａ内に保持することができる。
【００４３】
スライドレール部２１の前後面には、スライド方向前後の吸収部２４ａ，２４ｂの各押圧部２４ｃ，２４ｄが突き出されている。片側のスライドレール部２１についてそれぞれ突き出された合計４箇所の押圧部２４ｃ，２４ｄは、取り付けたバッテリパック３０の係合部３１ａ，３１ｂに弾性的に押圧される。図４において前側の２つの押圧部２４ｃが前側の係合部３１ａの後面に押圧され、後ろ側の２つの押圧部２４ｄが後ろ側の係合部３１ｂの前面に押圧された状態となる。これにより、バッテリパック３０がバッテリ取り付け部２０に対して弾性支持されたフローティング状態となって、当該バッテリパック３０のバッテリ取り付け部２０に対するがたつきが抑制される。
【００４４】
上記したようにスライドレール部２１に押圧部２４ｃ，２４ｄがスライド方向に少なくとも２箇所設けられ、左右スライドレール部２１で合計８箇所の押圧部２４ｃ，２４ｄが設けれている。その結果、押圧部２４ｃ，２４ｄがバッテリパック３０のレール受け部３１に弾性的に押圧されることにより、バッテリパック３０の取り付け方向に直交する前後方向のがたつきが抑制され、さらには、左右、上下方向の振動も吸収することができる。なお、バッテリパック３０の取り付け方向（図１において下向き）に直交する方向（係合方向）とは、側面視で直行する方向であり、図１において前後方向を言う。また、上下方向、左右方向については当該電動工具１を把持した使用者を基準にして用いる。
【００４５】
以上のように構成した本実施形態の電動工具１によれば、バッテリ取り付け部２０にバッテリパック３０を取り付けた状態では、スライドレール部２１の係合方向の両面に設けた押圧部２４ｃ，２４ｄが、バッテリパック３０のレール受け部３１にそれぞれ弾性的に押圧されて、バッテリパック３０の主として係合方向（スライド方向に直交する方向）の振動が吸収される。従来対策が不十分であったスライド方向に直交する係合方向の振動が抑制されることにより、チャタリング等の不具合をより確実に防止することができる。
【００４６】
例示した実施形態によれば、同一のスライドレールに設けられたスライド方向前側の吸収部２４ａとスライド方向後ろ側の吸収部２４ｂが連結部２４ｅを介して相互に結合された一体構造となっていることにより、当該振動吸収部材２４の部品としての取り扱い性がよくなり、またスライドレール部２１に対するその組み付け性を良くすることができる。
【００４７】
さらに、スライドレール部２１と振動吸収部２３の接触面積が増えるため、振動吸収部材２４が外れにくくなる。例えば、振動吸収部材２４の一部が外れてしまった場合でも、その他の部分がスライドレール部２１と係合していることにより、振動吸収部材２４の全体が外れてスライドレール部２１から脱落してしまうことを防止することができる。
【００４８】
また、押し込み凹部２１ｂを利用して、連結部２４ｅを押し込むことにより、外れにくくすることができる。押し込み凹部２１ｂを利用して連結部２４ｅを押し込むことにより、当該連結部２４ｅを取り付け凹部２１ａのより奥側に配置することができ、これによりスライドレール部２１から外れるまでの距離が長くなるので、当該振動吸収部材２４を簡単には外れないように取り付けることができる。
【００４９】
さらに、各押圧部２４ｃ，２４ｄの先端面が、スライド方向について円弧面に形成されているため、バッテリパック３０の取り付け、取り外し時において当該各押圧部２４ｃ，２４ｄのレール受け部３１に対する移動抵抗を低減して当該バッテリパック３０の取り付け、取り外しの操作性を確保することができる。
【００５０】
以上説明した実施形態には、種々変更を加えることができる。例えば、スライド方向前側の吸収部２４ａとスライド方向後ろ側の吸収部２４ｂが連結部２４ｅにより相互に連結された一体構造を例示したが、係る連結部２４ｅを省略して前後の吸収部を別体とする構成としてもよい。吸収部は例示したようにスライド方向の２箇所に配置する構成とする他、スライド方向中央の１箇所に配置する構成、若しくはスライド方向の３箇所以上に配置する構成としてもよい。
【００５１】
また、スライド方向前後の吸収部２４ａ，２４ｂのそれぞれについて、スライドレール部２１の係合方向両面に突き出す押圧部２４ｃ，２４ｄを一体に備える構成を例示したが、各押圧部２４ｃ，２４ｄについてもそれぞれ別体で構成して個別にスライドレール部２１に設けた保持孔内に弾性的に嵌め込んで固定する構成としてもよい。また、各押圧部２４ｃ，２４ｄは、接着等により取り付ける構成としてもよい。
【００５２】
さらに、バッテリ取り付け部２０側に振動吸収部２３を設けた構成を例示したが、例えば同様の振動吸収部または個別の吸収部若しくは押圧部をバッテリパック３０側に設ける構成としてもよい。図６には、左右一対のスライドレール部３２ａを有するバッテリパック３２が示されている。スライドレール部３２ａがバッテリパック３２側に設けられ、これを受けるレール受け部が工具本体１０のバッテリ取り付け部２０側に設けられている場合には、スライド方向前側の吸収部３３ａとスライド方向後ろ側の吸収部３３ｂと両吸収部３３ａ，３３ｂを相互に連結する連結部３３ｃを有する一体型の振動吸収部３３を、バッテリパック３２のスライドレール部３３に設ける構成とすることができる。スライド方向前後の吸収部３３ａ，３３ｂの各押圧部は、スライドレール部３２ａの上面又は下面にそれぞれ突き出されている。
【００５３】
係る第２実施形態の振動吸収構造によれば、バッテリパック３２側にスライドレール部３２ａに設けた振動吸収部３３ａ，３３ｂの各押圧部がバッテリ取り付け部側のレール受け部に弾性的に押圧されて、スライド方向に直交する係合方向の振動が抑制される。なお、図６に示すようにバッテリパック３２のスライド方向後面側には、凸部によって形成されるロック爪３２ｂが設けられている。前記したようにこのロック爪３２ｂはアンロックボタン３２ｃを図示下側に押し下げ操作することにより下方へ退避させることができる。当該バッテリパック３２の取り付け状態はロック爪３２ｂによりロックされ、この取り付けロック状態はアンロックボタン３２ｃを押し下げ操作することにより解除することができる。
【００５４】
例示した押圧部２４ｃ，２４ｄは、スライドレール部側に設ける構成、若しくはレール受け部側に設けることができる。また、図７〜図１０に示すようにスライドレール部を工具本体１０のバッテリ取付け部側に備える場合、若しくはスライドレール部をバッテリパック側に備える場合の何れであってもスライドレール部又はレール受け部側若しくは双方に設けることができる。
【００５５】
図７及び図８は、工具本体４０のバッテリ取り付け部４１側にスライドレール部４２を備え、バッテリパック４３側にレール受け部４４を備える場合を例示している。係る場合に、図７に示すようにスライドレール部４２の係合方向両面に押圧部４５を設ける構成とし、若しくは図８に示すようにレール受け部４４の係合方向両面に押圧部４６を設ける構成とすることができる。
【００５６】
図９及び図１０は、工具本体５０のバッテリ取り付け部５１側にレール受け部５２を備え、バッテリパック５３側にスライドレール部５４を備える場合を例示している。係る場合に、図９に示すようにバッテリパック５３側のスライドレール部５４の係合方向両面に押圧部５５を設ける構成とし、若しくは図１０に示すようにバッテリ取り付け部５１側のレール受け部５２の係合方向両面に押圧部５６を設ける構成とすることができる。以上のように、工具本体のバッテリ取り付け部に対してスライド取り付け形式のバッテリパックを取り付ける構成であって、一方の断面コ字形のレール受け部に他方のスライドレール部を挿入させて当該挿入方向（スライド方向）に直交する係合方向に係合させる構成において、当該レール受け部とスライドレール部との係合方向両面に弾性体を挟み込んで押圧させることにより、バッテリパックの係合方向の振動を効率よく抑制することができる。
【００５７】
以上説明した振動吸収部は、先端刃具Ｔをスピンドル４の軸周りに一定角度で揺動させるマルチルーツ（電動工具１）に限らず、ねじ締め機や切断工具等その他の電動工具であって、スライド取り付け形式のバッテリパックを電源とする電動工具の振動対策として広く適用することができる。
【００５８】
また、取り付けられるバッテリパックは、例示した１０．８Ｖ出力のものに限らず、例えば１４．４Ｖや１８Ｖ出力のバッテリパックについても同様に適用することができる。さらに、バッテリパックの取り付け形式は、例示した箱体を有するスライド取り付け形式のものに限定されず、例えば図１１及び図１２に示すようにクラスタ形を有する差し込み取り付け形式のバッテリパック６３についても同様に適用することができる。この差し込み取り付け形式のバッテリパック６３の場合、電動工具６０は概ね円筒形のバッテリ取り付け部６１を備えている。このバッテリ取り付け部６１内に差し込んで当該バッテリパック６３が取り付けられる。
【００５９】
バッテリ取り付け部６１内には、一対の係合部６２が相互に対向する状態に設けられている。両係合部６２のそれぞれに押圧部６５が設けられている。押圧部６５は、取り付け方向の２箇所に設けられている。各押圧部６５は係合部６２の両面（回転方向前方及び後方、すなわち、一方側及び他方側）に設けられている。バッテリパック６３には、係合部６２を係合させる断面コ字形の係合受け部６３ａが設けられている。バッテリパック６３を図１１において白抜き矢印で示す取り付け方向に移動させてバッテリ取り付け部６１内に差し込むと、係合受け部６３ａの両面に押圧部６５が弾性的に押圧される。このように、バッテリパックの取り付け形式が、差し込み取り付け形式である場合についても前記例示した振動吸収部材を適用して同等の作用効果を得ることができる。また、特に、前後方向の軸方向に対する回転方向のがたつきも抑制することができ、回転方向の振動も吸収することができる。
【００６０】
また、クラスタ形を有する差し込み取り付け形式のバッテリパック７５については、例えば図１３に示すような弾性支持構造とすることができる。電動工具７０のバッテリ取り付け部７１の内周面に沿って２つの円環形を有する弾性部材（例えばゴムリング）７２，７３が取り付けられている。２つの弾性部材７２，７３は、取り付け方向に一定の間隔をおいて配置されている。バッテリパック７５には、左右一対のロックアーム７６が設けられている。両ロックアーム７６は、支軸７７を介して左右（図１３では上下）に傾動可能に支持されている。両ロックアーム７６の先端部は山形に形成されて係合部７６ａとされている。
【００６１】
バッテリパック７５をバッテリ取り付け部７１に差し込んだ状態において、両ロックアーム７６の係合部７６ａを２つの弾性部材７２，７３間に弾性的に押し込むことにより、当該バッテリパック７５を前後方向（前方及び後方、すなわち、一方側及び他方側）から弾性支持（フローティング支持）することができ、これにより当該バッテリパック７５の取り付け方向前後、左右及び上下方向の振動を吸収若しくは低減することができる。
【００６２】
なお、図１３と逆の構造としても良い。すなわち、ハウジングに、操作することにより移動可能な凸部を配置する。クラスタ型（差込み型）のバッテリパックに、前記凸部が嵌合可能な凹部を形成する。このバッテリパックの凹部に２つの弾性体を保持する。この弾性体に前後方向（一方側及び他方側）を保持されるように、前記凸部が配置されるようにしても良い。また、この際に、２つの弾性体でなくとも、凹み部を有するような１つの弾性体にし、凹み部で前記した凸部が前後方向を保持されるようにしても良い。
【００６３】
いうまでもないが、図１１から図１３に記載されたクラスタ型のバッテリパックを有する電動工具は、様々なものへと適用可能である。電動ドライバ、電動ノコギリ、電動ハンマの他、電動ヘッジトリマ、電動チェンソー等の園芸工具にも適用可能である。
【符号の説明】
【００６４】
１…電動工具（マルチツール）
２…本体ハウジング、２ａ…グリップ部
３…電動モータ、３ａ…出力軸
４…スピンドル
５…駆動軸、５ａ…偏心軸部
６，７…軸受
８，９…軸受
１０…工具本体
１１…インナフランジ
１２…アウタフランジ
１３…作動アーム、１３ａ…アーム部
１４…偏心ローラ
１５…メインスイッチ
１６…起動スイッチ、１６ａ…アーム部
Ｔ…先端刃具
２０…バッテリ取り付け部
２１…スライドレール部
２１ａ…取り付け凹部、２１ｂ…押し込み凹部
２２…接続端子
２３…振動吸収部
２４…振動吸収部材
２４ａ…吸収部（スライド方向前側）
２４ｂ…吸収部（スライド方向後ろ側）
２４ｃ，２４ｄ…押圧部、２４ｅ…連結部
２５…嵌め込み凹部
２６…ロック爪受け部
３０…バッテリパック
３１…レール受け部
３１ａ，３１ｂ…係合部
３２…バッテリパック
３２ａ…スライドレール部
３３…振動吸収部
３３ａ…吸収部（スライド方向前側）
３３ｂ…吸収部（スライド方向後ろ側）
３３ｃ…連結部
４０，５０…工具本体
４１，５１…バッテリ取り付け部
４２，５４…スライドレール部
４３，５３…バッテリパック
４４，５２…レール受け部
４５，４６，５５，５６…押圧部
６３，７５…バッテリパック
【図１】
0006661328.tif 000002
【図２】
0006661328.tif 000003
【図３】
0006661328.tif 000004
【図４】
0006661328.tif 000005
【図５】
0006661328.tif 000006
【図６】
0006661328.tif 000007
【図７】
0006661328.tif 000008
【図８】
0006661328.tif 000009
【図９】
0006661328.tif 000010
【図１０】
0006661328.tif 000011
【図１１】
0006661328.tif 000012
【図１２】
0006661328.tif 000013
【図１３】
0006661328.tif 000014